(57)【要約】      （修正有）【課題】作業に習熟しない人であっても充分容易に複雑な形態の組み紐を製作しうる新規な組み紐製作機を提供する。【解決手段】組み紐製作機Ｍは、支持架台１と、紐打ち盤２とを具えて構成され、この紐打ち盤２は組み紐通し孔２２と、紐掛縁２６とを具え、紐掛縁２６に多数本の紐ａを玉側に緩加重を付与して掛止させ、組み紐Ａ側を組み紐通し孔２２に挿入し、掛止位置を打ち変えて組み紐Ａを順次構成してゆき、且つ組み紐Ａ側も緩加重により下方に引きながら作業を連続させる組み紐製作用の機材において、前記紐掛縁２６は、組み紐通し孔２２が構成される紐打ち盤２本体に対し別体に構成された複数の紐掛板２５の周縁に構成されるものであり、この紐掛板２５は紐打ち盤本体２１に対しては、回転自在で、一定回転角度ごとに回転位置が選択できるクリックストップ状態となるように構成されていることを特徴とする。【選択図】図１
0003150259.tif 000002
【実用新案登録請求の範囲】
【請求項１】
支持架台と、この支持架台に支持されている紐打ち盤とを具えて構成され、この紐打ち盤は、組み紐通し孔と、紐掛縁とを具え、紐掛縁に多数本の紐を玉側に緩加重を付与して掛止させ、組み紐側を組み紐通し孔に挿入し、これら多数本の紐をそれらの組み合わせ順序に従い、掛止位置を打ち変えて組み紐を順次構成してゆき、且つ組み紐側も緩加重により引きながら作業を連続させる組み紐製作用の機材において、
前記紐掛縁は、組み紐通し孔が構成される紐打ち盤本体に対し別体に構成された複数の紐掛板の周縁に構成されるものであり、この紐掛板は紐打ち盤本体に対しては、回転自在で、一定回転角度ごとにクリックストップ状態となるように構成されていることを特徴とする組み紐製作機。
【請求項２】
前記紐掛板における紐掛縁には、紐を掛止させる紐掛溝が形成され、この紐掛溝には、紐打ち盤本体に取り付けられた係止爪がラチェット状に係合し、これによって紐掛板に対しクリックストップ状態と回転方向規制とを出現させていることを特徴とする前記請求項１記載の組み紐製作機。
【請求項３】
前記請求項１または２記載の紐打ち盤は、支持架台に対し取り外し自在に構成されるとともに、別体の円盤状部材であって、その中央に組み紐通し孔を設け、周縁を紐掛縁とした紐掛板の単体から成る紐打ち盤が用意され、このものが前記支持架台に付け替え自在に構成されていることを特徴とする組み紐製作機。
【考案の詳細な説明】
【技術分野】
【０００１】
本考案は、組み紐を製作するための機材に関するものであって、特に充分な熟練を要することなく複雑且つ高度な組み紐を製作することができる組み紐製作機に係るものである。
【背景技術】
【０００２】
組み紐は、伝統的な装飾紐であり、古くから熟練した作業者により種々の組み紐が案出されている。この組み紐を製作するための組み紐製作具は一般的なものとしては、円盤状の紐打ち盤の中央に組み紐通し孔を設け、その周縁部を紐掛縁とし、この紐掛縁に複数本の紐を玉側へ緩加重を付与して係止させ、組み合わせ側を組み紐通し孔に挿入し、これら多数本の紐をそれらの組み合わせ順序に従い、掛止位置を打ち変えて組み紐を構成し、且つ組み紐側も緩加重により下方に引きながら作業を連続させるものである。
そして、従来はこのような単純な組み紐製作具からいかに複雑豪華な組み紐を得るかが製作者の技術評価として重視され、組み紐製作具そのものには、改良の試みが殆んどされていなかった。
【０００３】
ところで、このようなクラフトワークとしての組み紐は、極端に高度な製品を求めない場合には、必要最小限の規則性を習得すれば製作できることもあって、手作業が迅速にできない人や、高齢者を対象とした機能訓練の素材としても有効であることが認識されている。
しかしながら、従来の組み紐製作具は熟練者と同じ形態のものが用いられており、単純なゆえにその扱いが難しく、いきおい製作する組み紐は簡単なものに限られてしまっている。このような実態は、作業者の機能訓練を目的とするものであることから、甘受すべきとの認識が固定観念化してしまっていることが一因となっており、より複雑な組み紐製作の希望があっても、この要請には応えていない。
【先行技術文献】
【特許文献】
【０００４】
【特許文献１】実開昭６１−８２９８５号公報
【考案の概要】
【考案が解決しようとする課題】
【０００５】
本考案は、このような背景を考慮してなされたものであって、作業に習熟しない人であっても、充分容易に複雑な形態の組み紐を製作することのできる新規な組み紐製作機の開発を試みたものである。
【課題を解決するための手段】
【０００６】
請求項１記載の組み紐製作機は、支持架台と、この支持架台に支持されている紐打ち盤とを具えて構成され、この紐打ち盤は組み紐通し孔と、紐掛縁とを具え、紐掛縁に多数本の紐を玉側に緩加重を付与して掛止させ、組み紐側を組み紐通し孔に挿入し、これら多数本の紐をそれらの組み合わせ順序に従い、掛止位置を打ち変えて組み紐を順次構成してゆき、且つ組み紐側も緩加重により下方に引きながら作業を連続させる組み紐製作用の機材において、
前記紐掛縁は、組み紐通し孔が構成される紐打ち盤本体に対し別体に構成された複数の紐掛板の周縁に構成されるものであり、この紐掛板は紐打ち盤本体に対しては、回転自在で、一定回転角度ごとにクリックストップ状態となるように構成されていることを特徴として成るものである。
【０００７】
請求項２記載の組み紐製作機は、前記要件に加えて、前記紐掛板における紐掛縁には、紐を掛止させる紐掛溝が形成され、この紐掛溝には、紐打ち盤本体に取り付けられた係止爪がラチェット状に係合し、これによって紐掛板に対しクリックストップ状態と回転方向規制とを出現させていることを特徴として成るものである。
【０００８】
請求項３記載の組み紐製作機は、前記請求項１または２記載の紐打ち盤は、支持架台に対し取り外し自在に構成されるとともに、別体の円盤状部材であって、その中央に組み紐通し孔を設け、周縁を紐掛縁とした紐掛板の単体から成る紐打ち盤が用意され、このものが前記支持架台に付け替え自在に構成されていることを特徴として成るものである。
【考案の効果】
【０００９】
まず請求項１記載の考案によれば、紐を掛止させる紐掛板が複数個設けられており、製作に技量を要するいわゆる平織りも極めて容易にできるような使用法を提供することできる。
【００１０】
また請求項２記載の考案によれば、回転する紐掛板は回転方向が規制されながらクリックストップ状態を得るものであり、紐打ち変えにあたって回転方向を間違えることなく、且つ安定した位置で紐が保持されており、より簡易且つ正確に組み紐を製作することができる。
【００１１】
更にまた請求項３記載の考案によれば、紐打ち盤は、種類の異なるものを付け替え自在とすることにより、更に製作する紐の形態のバリエーションを簡単に増やすことができる。
【図面の簡単な説明】
【００１２】
【図１】本考案の組み紐製作機を示す斜視図である。
【図２】同上平面図である。
【図３】同上一部破断正面図である。
【図４】組み紐製作手順を示す平面図である。
【図５】組打ち板を異なる種類に変更自在であることを示す斜視図である。
【考案を実施するための形態】
【００１３】
本考案を実施するための形態は、以下述べる実施例をその一つとするものであるとともに、この技術思想に基づく種々の改良をした実施例も含むものである。
【実施例１】
【００１４】
以下、本考案を図示の実施例に基づいて具体的に説明する。
符号Ｍは、組み紐製作機であって、支持架台１と紐打ち盤２とを主要部材とし、両者は一例として面ファスナを利用した固定部材３によって、容易に取り外し自在に構成されているものである。
従って紐打ち盤２のタイプを異ならせたものを適用した場合、それらの付け替えが容易となり、種々の形態の組み紐Ａを製作が可能となる。
【００１５】
まず支持架台１に説明する。このものは、図１に示すように適宜の重量を具え、安定して定置することができる基板１１に対し、支脚１２を立ち上げその上部に台板１３を具えている。この台板１３は、紐打ち盤２を固定する固定部材３の一例である面ファスナ要素３１をその上面に具えるとともに、組み紐Ａを通過させる紐通し合わせ孔１４をほぼ中央に穿孔している。
【００１６】
一方、紐打ち盤２は、まず固定部材としての紐打ち盤本体２１を具え、この紐打ち盤本体２１に対し、組み紐通し孔２２が設けられている。この組み紐通し孔２２は、前記台板１３における紐通し合わせ孔１４と合致できる位置に設けられる。更に紐打ち盤本体２１は、一部が凹陥し、相対的に残余の部分が厚み寸法を大きくして設定しているものであり、ここを面揃え部２３とする。そして、凹陥した部位には、回転軸２４を設け、ここに円盤状の紐掛板２５を一例として一対設けるものであり、それらは前記組み紐通し孔２２からそれぞれ等距離に配設されている。
この紐掛板２５は、その周縁を紐掛縁２６とするものであり、その紐掛縁２６には、紐ａを係止させる紐掛溝２７が設けられている。
【００１７】
更に前記一対の紐掛板２５に挟まれている位置における紐打ち盤本体２１には、一対の紐掛板２５の双方に作用するように係止爪２８が取り付けられている。この係止爪２８と紐掛板２５とは、係止爪２８の先端が紐掛溝２７に係止することにより、紐掛板２５の一定角度ごとの回転位置が選択できる機構、すなわちクリックストップ機構をまず形成している。加えて、係止爪２８と紐掛溝２７との関係においては、紐掛板２５が係止爪２８の固定側には回転しないように一方方向に回転を規制する機構、すなわちラッチェット機構が出現する構成を採る。
【００１８】
このような紐打ち盤２と支持架台１とは、固定部材３によって固定が図られている。この固定部材３の一例として、面ファスナを用いるものであって、支持架台１側の面ファスナ要素３１をループとし、紐打ち盤２下面の面ファスナ要素３２を前記ループに係止するフックとするものとする。もちろん、取り外し自在の構成は、このような構成に限られないことはいうまでもない。
【００１９】
本考案は、以上述べた構成を基本構成とするものであり、次のような操作により組み紐Ａを製作する。なお組み紐Ａに対し、その要素となる紐を符号ａで表し、紐ａが巻き取られた玉を符号ａ０で示す。この玉ａ０の巻芯は適宜の重量のある部材で構成し、紐ａに対し緩加重を付与できるようにする。また詳細な図示を省略するが、紐ａは玉ａ０に対し、自由な繰出しがされないような絡み付き係止等の手段が採られている。
そして図１から図４に示すように、この組み紐Ａは、多数の紐、一例として３色一組の紐ａが、対となって組み合わされた計６本の紐ａによって組まれる。図面においては、これを区別して表現するため、一例として実線で示すものを赤紐ａ１、破線で示すものを青紐ａ２、破線で示すものを黄紐ａ３とする。
【００２０】
まず編み始めは、適宜紐ａをそれぞれ束ねた状態で編み始めるものであるが、説明にあたっての始発状態を図４（ａ）に示すように、上面から見て左右一対となる紐掛板２５に対しては、例えば上方から見て左右共に係止爪２８に比較的近い位置の紐掛溝２７を３箇所利用して、赤紐ａ１、青紐ａ２、黄紐ａ３の順序で対照的に配置した状態とする。また既に編まれた組み紐Ａは、組み紐通し孔２２から下方に導かれ、且つ錘Ｗにより下方に向けて緩加重が与えられている。
そして、次の操作としては、再び図４（ａ）に示す位置に紐ａが打ち替えられることに備え、そのスペースを確保すべく、紐掛板２５を図４（ｂ）に示すように互いに離反方向に回転させる。
【００２１】
このとき紐掛板２５は、紐掛溝２７と係止爪２８との係合により、それぞれクリックストップ状態を呈しながら回転する。因みにこのようなクリックストップ状態が得られず、紐ａを打ち変えた紐掛板２５が自由に回転できるとすると、玉ａ０の荷重により紐掛板２５が回ってしまい、紐ａの位置が勝手にずれるようになり、作業が行い難くなるのである。更にこのとき本考案では、紐掛溝２７と係止爪２８との係合形態は、ラッチェット（逆止）状態となっているから、必ず左右の紐掛板２５は紐ａが掛けられた部位が互いに離反する方向にしか回転できず、操作を間違えることがない。
【００２２】
このような紐ａの打ち替えに備えた操作がされた後に図４（ｃ）に示すように左右一対の紐掛板２５に掛止されている紐ａを、例えば係止爪２８から離れた位置側の黄紐ａ３を反対側の紐掛板２５における赤紐ａ１の隣に掛止させ、次は黄紐ａ３が掛止された側の紐掛板２５に設けられている黄紐ａ３を反対側の紐掛板２５における赤紐ａ１の隣接した空いている紐掛溝２７に掛止させるようにし、これを順次左右交互に図中の丸囲み数字１から６に示すように６回繰り返す。このとき当然ながら、それぞれの赤紐ａ１、青紐ａ２、黄紐ａ３は、図４（ａ）に示すように係止爪２８に寄った位置の紐掛溝２７に掛け直された状態となることから、次の紐打ちに具えた紐掛溝２７を使用する余地がなくなる。このため再びそれぞれ紐掛板２５を図４（ｂ）に示すように左右それぞれ離反する方向に移動させるようにして、次の紐打ちに備え、空いた紐掛溝２７を出現させる。
このような操作を継続させて平織り状の組み紐Ａを構成してゆくものであり、組み紐Ａもその途中に緩加重を与える錘Ｗを具えていることにより、組み紐Ａは適宜組み紐通し孔２２から下方に向かってずれてゆく。
【００２３】
〔他の実施の形態〕
本考案は以上述べた実施の形態を一つの基本的な技術思想とするものであるが、更に次のような改変が考えられる。
まず先に述べた実施例では、紐掛板２５が紐打ち盤本体２１と別体であって、且つ２枚一対設けられていたが、必要に応じ紐掛板２５は更にその数を増加させ、より複雑な組み紐Ａを製作できるようにすることも可能である。
更にまた、図５に示すように紐打ち盤２の形態をより単純な従来手法に近いものに付け替えての紐打ち作業も可能である。この実施例は、紐打ち盤本体２１自体が、円盤状であり、これが実質的に紐掛板２５を構成する。この円盤状の紐打ち盤本体２１の周縁部が紐掛縁２６となるものであり、その中央に組み紐通し孔２２が構成されている。その下面側にはフック状の面ファスナ要素３２を設けておけば、支持架台１の台板１３に対して固定することが可能である。
このような単純な円盤状の紐打ち盤２の形態の場合、従来から種々考案されている組み紐Ａの形態に従った紐打ち作業が行われる。
【符号の説明】
【００２４】
Ｍ    組み紐製作機
１    支持架台
２    紐打ち盤
３    固定部材
１１  基板
１２  支脚
１３  台板
１４  紐通し合わせ孔
２    紐打ち盤
２１  紐打ち盤本体
２２  組み紐通し孔
２３  面揃え部
２４  回転軸
２５  紐掛板
２６  紐掛縁
２７  紐掛溝
２８  係止爪
３    固定部材
３１  面ファスナ要素（支持架台側）
３２  面ファスナ要素（紐打ち盤側）
Ａ    組み紐
ａ    紐
ａ０  玉
ａ１  赤紐
ａ２  青紐
ａ３  黄紐
Ｗ    錘
【図１】
0003150259.tif 000003
【図２】
0003150259.tif 000004
【図３】
0003150259.tif 000005
【図４】
0003150259.tif 000006
【図５】
0003150259.tif 000007